(57)【要約】【課題】小さな加圧力で増し折りを可能とし、装置の小型化と低コスト化を図る。【解決手段】折られたシート束ＳＢの折り目部ＳＢ１を挟み込んで押圧する押圧手段と、押圧手段の押圧位置をシート束ＳＢの折り目方向に移動させる増し折りローラユニット２６０を有するシート処理装置において、押圧手段はシート束ＳＢの厚み方向の一方に配置された増し折りローラ／上２６１ａと、シート束ＳＢの折り目部ＳＢ１を挟んで他方に配置された第１及び第２増し折りローラ／下２６２ａ，２６２ｂとを含み、増し折りローラユニット２６０は、増し折りローラ／上２６１ａの中心２６１ａ１と第１増し折りローラ／下２６２ａの中心２６２ａ１を結ぶ第１の線Ｌ１及び増し折りローラ／上２６１ａの中心２６２ａ１と第２増し折りローラ／下２６２ｂの中心２６２ｂ１を結ぶ第２の線Ｌ２をシート束ＳＢの厚み方向ｔに対して平行でない状態にして押圧手段を移動させる。【選択図】図２７
2015036321.tif 000002
【特許請求の範囲】
【請求項１】
折られたシート束の折り目部を挟み込んで押圧する押圧手段と、
前記押圧手段の押圧位置をシート束の折り目方向に移動させる移動手段と、
を有するシート処理装置において、
前記押圧手段は、シート束の厚み方向の一方に配置された第１の押圧部材と、前記シート束の折り目部を挟んで他方に配置された第２及び第３の押圧部材と、を含み、
前記移動手段は、前記第１の押圧部材の中心と前記第２の押圧部材の中心を結ぶ第１の線及び前記第１の押圧部材の中心と前記第３の押圧部材の中心を結ぶ第２の線をそれぞれシート束の厚み方向に対して平行でない状態で前記押圧手段を移動させることを特徴とするシート処理装置。
【請求項２】
請求項１に記載のシート処理装置において、
前記第１の押圧部材が、前記シート束の幅方向において前記第２の押圧部材と前記第３の押圧部材との間に位置することを特徴とするシート処理装置。
【請求項３】
請求項１又は２に記載のシート処理装置において、
前記第１の押圧部材の中心から前記シート束の厚み方向に引いた線からの前記第２の押圧部材の中心位置のずれ量と、前記線からの前記第３の押圧部材の中心位置のずれ量とが同一であることを特徴とするシート処理装置。
【請求項４】
請求項１ないし３のいずれか１項に記載のシート処理装置において、
前記第２の押圧部材及び前記第３の押圧部材のシート幅方向の寸法が前記第１の押圧部材のシート幅方向の寸法よりもそれぞれ小さいことを特徴とするシート処理装置。
【請求項５】
請求項１ないし４のいずれか１項に記載のシート処理装置において、
前記第２の押圧部材又は前記第３の押圧部材が、前記第１の押圧部材に対してシート幅方向にそれぞれ移動可能であることを特徴とするシート処理装置。
【請求項６】
請求項５記載のシート処理装置において、
前記第２の押圧部材又は前記第３の押圧部材が、前記第１の押圧部材に対してシート幅方向の同一位置にそれぞれ移動可能であることを特徴とするシート処理装置。
【請求項７】
請求項５記載のシート処理装置において、
前記第１の押圧部材が、前記第２の押圧部材又は前記第３の押圧部材のシート幅方向外側に位置することを特徴とするシート処理装置。
【請求項８】
請求項１ないし７のいずれか１項に記載のシート処理装置において、
前記押圧手段を押圧状態及び押圧解除状態にする押圧状態変更手段を備えたことを特徴とするシート処理装置。
【請求項９】
請求項１ないし８のいずれか１項に記載のシート処理装置を備えた画像形成システム。
【請求項１０】
第１の押圧部材をシート束厚み方向の一方に配置し、第２及び第３の押圧部材をシート束厚み方向の他方に配置し、
前記第１の押圧部材と、前記第２及び第３の押圧部材との間に前記シート束の折り目部を挟み、
前記第１の押圧部材の中心と前記第２の押圧部材の中心を結ぶ第１の線及び前記第１の押圧部材の中心と前記第３の押圧部材の中心を結ぶ第２の線をそれぞれシート束の厚み方向に対して平行でない状態にして前記第１、第２及び第３の押圧部材をシート束の折り目方向に移動させてシート束の折り目部を増し折りするシート束の増し折り方法。
【発明の詳細な説明】
【技術分野】
【０００１】
本発明は、シート処理装置、画像形成システム及びシート束の増し折り方法に係り、特に用紙、記録紙、転写紙などのシート状記録媒体（以下、本明細書では、単に、「シート」と称する。）を折り処理する機能を備えたシート処理装置、シート処理装置を備えた画像形成システム、及び前記シート処理装置で実行されるシート束の増し折り方法に関する。
【背景技術】
【０００２】
従来、複写機等の画像形成装置と組み合わせて使用される後処理装置において、１枚あるいは複数枚からなるシートに対し、シート中央部を綴じ、シート折り方向に平行に設置した折りローラ対でシート束中央部を折ることにより中綴じ冊子を製本するものがある。さらに、中綴じ冊子の折り目を強化するために、冊子の背に沿って移動するローラによって増し折りする技術も既に知られている。
【０００３】
このような増し折り技術では、増し折りローラによって冊子（シート束）の背（折り目部）を増し折りするために、冊子の外側で待機していたローラを冊子の背の上にのせて移動させるようになっている。
【０００４】
この種の増し折り技術として、例えば特開２００９−１２６６８５号公報（特許文献１）あるいは特開２００６−３２１６２２号公報（特許文献２）に記載された発明が公知である。
【０００５】
このうち特許文献１には、搬入されてきたシート状記録媒体に折り処理を施す折り手段と、前記折り手段による折り処理の後に、前記シート状記録媒体の折り目上をシート搬送方向に対して直交する方向に移動して加圧し、折り増しする折り増し手段と、を備えたシート折り装置において、前記折り増し手段が、前記シート状記録媒体の媒体面の法線に対して前記折り目を加圧したとき、移動方向に力が発生する方向に傾斜して配置されていることを特徴とする技術が記載されている。
【０００６】
また、特許文献２には、シート束背部処理装置において、折り畳まれたシート束の背面折り目部の表裏面を挟圧しながら移動して折り目の形状を整える折り目処理手段と、前記シート束の背面折り部の背部を押圧しながら移動して前記背部を平坦にする背部処理手段と、前記折り目処理手段と前記背部処理手段とのうち、少なくとも一方を選択して作動させる選択手段と、を備えたことを特徴とする技術が記載されている。
【発明の概要】
【発明が解決しようとする課題】
【０００７】
特許文献１に記載された技術では、負荷低減の目的で、付勢力の方向を増し折り機構の移動方向から傾けてはいるが、増し折り機構が加圧ローラと対向する固定の受け部材で構成されているため、シート束への押圧力はシート束の厚み方向に生じることになる。そのため、装置の剛性が必要となり、装置は大型化し、その分コストも高くなる。
【０００８】
特許文献２に記載された技術では、折り目を強化する折り目処理手段において、３つ以上の増し折りローラを備えており、折り目を強化する２つのローラ対からなる折り目処理手段は、移動方向に垂直な方向に加圧力を発生させ、背部を平坦にする３つ目のローラは、前記２つのローラ対がなす加圧力とシート搬送方向において直交する方向に加圧力を生じさせている。そのため、特許文献１記載の技術と同様に、装置の剛性が必要となり、装置は大型化し、その分コストも高くなる。
【０００９】
そこで、本発明が解決しようとする課題は、小さな加圧力で増し折りを可能とし、装置の小型化と低コスト化を図ることにある。
【課題を解決するための手段】
【００１０】
前記課題を解決するため、本発明は、シート束の厚み方向の一方に配置された第１の押圧部材と、前記シート束の厚み方向の他方に配置された第２及び第３の押圧部材と、前記第１の押圧部材と、前記第２及び第３の押圧部材との間に前記シート束の折り目部を挟み、前記第１の押圧部材と前記第２の押圧部材の中心を結ぶ第１の線及び前記第１の押圧部材と前記第３の押圧部材の中心を結ぶ第２の線をそれぞれシート束の厚み方向に対して平行でない状態にして前記第１、第２及び第３の押圧部材をシート束の幅方向に移動させる移動手段と、を備えたシート処理装置を特徴とする。なお、前記以外の課題、構成及び効果は、以下の実施形態の説明において明らかにされる。
【発明の効果】
【００１１】
本発明によれば、小さな加圧力で増し折りを可能とし、装置の小型化と低コスト化を図ることができる。
【図面の簡単な説明】
【００１２】
【図１】本発明の実施形態における画像形成装置と、複数のシート処理装置とからなる画像処理システムのシステム構成を示す図である。
【図２】中綴じ製本装置の動作説明図で、シート束の中折り搬送路への搬入時の状態を示す。
【図３】中綴じ製本装置の動作説明図で、シート束の中綴じ時の状態を示す。
【図４】中綴じ製本装置の動作説明図で、シート束の中折り位置への移動完了時の状態を示す。
【図５】中綴じ製本装置の動作説明図で、シート束の中折り処理実行時の状態を示す。
【図６】中綴じ製本装置の動作説明図で、シート束の中折り終了後の排紙時の状態を示す。
【図７】増し折りローラユニットと折りローラ対を示す要部正面図である。
【図８】図７を左側から見た要部側面図である。
【図９】案内部材の詳細を示す図である。
【図１０】図９の要部を拡大して示す図で、経路切り替え爪が切り替えられていないときの状態を示す。
【図１１】図９の要部を拡大して示す図で、第１の経路切り替え爪が切り替えられた状態を示す。
【図１２】増し折り動作の初期状態を示す動作説明図である。
【図１３】増し折りローラユニットの往移動開始時の状態を示す動作説明図である。
【図１４】増し折りローラユニットのシート束の中央部付近で第３の案内経路にかかったときの状態を示す動作説明図である。
【図１５】増し折りローラユニットが第１の経路切り替え爪を押しのけて第２の案内経路に入るときの状態を示す動作説明図である。
【図１６】増し折りローラユニットがシート束を押圧したままの状態で端部方向に移動するときの状態を示す動作説明図である。
【図１７】増し折りローラユニットが第２の案内経路に沿って往移動の最終位置まで移動したときの状態を示す動作説明図である。
【図１８】増し折りローラユニットが往移動の最終位置から復移動を開始したときの状態を示す動作説明図である。
【図１９】増し折りローラユニットが復移動を開始し、第６の案内経路に至ったときの状態を示す動作説明図である。
【図２０】増し折りローラユニットが第６の案内経路に至り、押圧解除状態から押圧状態に移行するときの状態を示す動作説明図である。
【図２１】増し折りローラユニットが第６の案内第５の案内経路に入ると、完全な押圧状態になったときの状態を示す動作説明図である。
【図２２】増し折りローラユニットが第５の案内経路をそのまま移動して初期位置に戻ったときの状態を示す動作説明図である。
【図２３】本発明の実施形態に係る増し折りローラユニットの詳細な構成を示す斜視図である。
【図２４】図２３の増し折りローラユニットを矢印Ｄ４方向から見た図である。
【図２５】増し折りローラ／上に対して第１及び第２増し折りローラ／下の軸芯（回転軸）をシート幅方向にずらして配置した増し折りローラユニットを示す図である。
【図２６】増し折りローラ／上と第１及び第２増し折りローラ／下によってシート束の折り目部を押圧するときの押圧状態を示す模式図である。
【図２７】増し折りローラ／上と第１及び増し折りローラ／下との間の押圧部分を拡大して示す図である。
【図２８】シート束を強く屈曲させるときと弱く屈曲させるときの増し折りローラ／上と第１及び第２増し折りローラ／下との位置関係を示す図である。
【図２９】増し折りローラ／上と第１及び増し折りローラ／下との上下関係を入れ替えた増し折りローラの例を示す図である。
【図３０】増し折りローラ／上と増し折りローラ／下との間にずれ量を設定し、シート束の厚み方向に対して傾いた方向に押圧力を発生させる例を示す図である。
【図３１】増し折りローラ／上と第２増し折りローラ／下のずれ量を０としたときの例を示す図である。
【図３２】増し折りローラ／上と第２増し折りローラ／下に所定のずれ量を設定したときの例を示す図である。
【発明を実施するための形態】
【００１３】
本発明は、中綴じ冊子の背を増し折りする際に、冊子のシート幅方向に移動する増し折りローラに関して、３つの増し折りローラでシートを挟み込み、シートに山形の変形を生じさせながら増し折り処理を施すことが特徴になっている。
【００１４】
以下、本発明の実施形態について、図面を参照しながら説明する。
【００１５】
図１は、本実施形態における画像形成装置と、複数のシート処理装置とからなる画像処理システムのシステム構成を示す図である。本実施形態では、画像形成装置ＰＲの後段に第１及び第２のシート後処理装置１，２がこの順で連結されている。
【００１６】
第１のシート後処理装置１は、画像形成装置ＰＲからシートを１枚ずつ受け取り、順次重ね合わせ整合し、スタック部でシート束を作成するシート束作成機能を有するシート後処理装置である。この第１のシート後処理装置１はシート束排紙ローラ１０から後段の第２のシート処理装置２にシート束を排紙する。第２のシート後処理装置２は、搬送されてきたシート束を受け取り、中綴じ中折りを施す中綴じ製本装置である（本明細書では、第２のシート後処理装置について中綴じ製本装置とも称する）。
【００１７】
中綴じ製本装置２は製本した冊子（シート束）をそのまま排紙し、あるいは後段のシート処理装置に排紙する。画像形成装置ＰＲは入力された画像データ、若しくは読み取った画像の画像データに基づいてシート状の記録媒体に可視画像を形成するものである。例えば、複写機、プリンタ、ファクシミリ、あるいはこれらの機能のうち少なくとも２つの機能を備えたデジタル複合機などがこれに相当する。画像形成装置ＰＲは、例えば電子写真方式、液滴射出方式など公知の方式のものであり、画像形成方式は何れでも良い。
【００１８】
同図において、中綴じ製本装置２は入口搬送路２４１、シートスルー搬送路２４２、及び中折り搬送路２４３を備えている。入口搬送路２４１のシート搬送方向最上流部には、入口ローラ２０１が設けられ、第１のシート後処理装置１の前記シート束排紙ローラ１０から整合されたシート束が装置内に搬入される。なお、以下の説明では、シート搬送方向上流側を単に上流側と、シート搬送方向下流側を単に下流側と称す。
【００１９】
入口搬送路２４１の入口ローラの２０１の下流側には、分岐爪２０２が設けられている。この分岐爪２０２は図において水平方向に設置され、シート束の搬送方向をシートスルー搬送路２４２あるいは中折り搬送路２４３に分岐する。シートスルー搬送路２４２は、入口搬送路２４１から水平に延び、後段の図示しない処理装置若しくは排紙トレイにシート束を導く搬送路であり、シート束は上排紙ローラ２０３によって後段に排紙される。中折り搬送路２４３は分岐爪２０２から垂直下方に延び、シート束に対して中綴じ、中折り処理を行うための搬送路である。
【００２０】
中折り搬送路２４３は、中折りするための折りプレート２１５の上部でシート束を案内する束搬送ガイド板上２０７と、折りプレートの２１５の下部でシート束を案内する束搬送ガイド板下２０８を備えている。束搬送ガイド板上２０７には、上部から束搬送ローラ上２０５、後端叩き爪２２１、束搬送ローラ下２０６が設けられている。後端叩き爪２２１は、図示しない駆動モータによって駆動される後端叩き爪駆動ベルト２２２に立設されている。後端叩き爪２２１は後端叩き爪駆動ベルト２２２の往復回転動作により、シート束の後端を後述の可動フェンス側に叩き（押圧し）、シート束の整合動作を行う。また、シート束が搬入される際、及びシート束が中折りのための上昇する際には、束搬送ガイド板上２０７の中折り搬送路２４３から退避する（図１破線位置）。
【００２１】
符号２９４は後端叩き爪２２１のホームポジションを検出するための後端叩き爪ＨＰセンサであり、中折り搬送路２４３から退避した図１破線位置（図２実線位置）をホームポジションとして検出する。後端叩き爪２２１は、このホームポジションを基準に制御される。
【００２２】
束搬送ガイド板下２０８には、上方から中綴じステープラＳ１、中綴じジョガーフェンス２２５、及び可動フェンス２１０が設けられている。束搬送ガイド板下２０８は束搬送ガイド板上２０７を通って搬送されてきたシート束を受け入れるガイド板である。幅方向には一対の前記中綴じジョガーフェンス２２５が設置され、下方にシート束先端が当接（支持）し、上下動可能に前記可動フェンス２１０が設けられている。
【００２３】
中綴じステープラＳ１はシート束の中央部を綴じるステープラである。可動フェンス２１０はシート束の先端部を支持した状態で上下方向に移動し、シート束の中央位置を中綴じステープラＳ１に対向する位置に位置させ、その位置でステープル処理、すなわち中綴じが行われる。可動フェンス２１０は可動フェンス駆動機構２１０ａによって支持されるともに、図示上方の可動フェンスＨＰセンサ２９２位置から最下方位置まで移動可能である。シート束の先端が当接する可動フェンス２１０の可動範囲は、中綴じ製本装置２の処理可能な最大サイズから最小サイズまで処理可能なストロークが確保されている。なお、可動フェンス駆動機構２１０ａとしては、例えばラックアンドピニオン機構が使用される。
【００２４】
束搬送ガイド板上２０７と下２０８との間、すなわち中折り搬送路２４３のほぼ中央部には折りプレート２１５、折りローラ対２３０、増し折りローラユニット２６０、及び下排紙ローラ２３１が設けられている。増し折りローラユニット２６０は折りローラ対２３０及び下排紙ローラ２３１の間の排紙搬送路を挟んで上下に増し折りローラが配置されている。折りプレート２１５は、図示水平方向に往復動可能であり、折り動作を行う際の動作方向には、折りローラ対２３０のニップが位置し、その延長上に排紙搬送路２４４が設置されている。下排紙ローラ２３１は、排紙搬送路２４４の最下流に設けられ、後段に折り処理されたシート束を排紙する。
【００２５】
束搬送ガイド板上２０７の下端側には、シート束検知センサ２９１が設けられ、中折り搬送路２４３に搬入され、中折り位置を通過するシート束の先端を検知する。また、排紙搬送路２４４には、折り目部通過センサ２９３が設けられ、中折りされたシート束の先端を検知し、シート束の通過を認識する。
【００２６】
大略、図１に示すように構成された中綴じ製本装置２では、図２ないし図６の動作説明図に示すようにして中綴じ及び中折り動作が行われる。すなわち、画像形成装置ＰＲの図示しない操作パネルから中綴じ中折りが選択されると、当該中綴じ中折りが選択されたシート束は、分岐爪２０２の反時計方向の偏倚動作により中折り搬送路２４３側に導かれる。なお、分岐爪２０２はソレノイドによって駆動される。なお、ソレノイドに代えてモータ駆動でも良い。
【００２７】
中折り搬送路２４３内に搬入されたシート束ＳＢは、入口ローラ２０１と束搬送ローラ上２０５によって中折り搬送路２４３を下方に搬送される。そして、シート束検知センサ２９１によって通過が確認された後、図２に示すように束搬送ローラ下２０６によって可動フェンス２１０にシート束ＳＢの先端が当接する位置まで搬送される。その際、画像形成装置ＰＲからのシートサイズ情報、ここでは、各シート束ＳＢの搬送方向のサイズ情報に応じて可動フェンス２１０は異なる停止位置で待機している。このとき、図２では、束搬送ローラ下２０６はニップにシート束ＳＢを挟持し、後端叩き爪２２１はホームポジション位置に待機している。
【００２８】
この状態で、図３に示すように束搬送ローラ下２０６の挟持圧が解除され（矢印ａ方向）、可動フェンス２１０にシート束先端が当接し、後端がフリーになった状態でスタックされると、後端叩き爪２２１が駆動される。この駆動により、シート束ＳＢの後端が後端叩き爪２２１によって叩かれ、搬送方向の最終的な揃えが行われる（矢印ｃ方向）。
【００２９】
次いで、中綴じジョガーフェンス２２５によって幅方向（シート搬送方向に対して直交する方向）の揃え動作が、また、可動フェンス２１０と後端叩き爪２２１により搬送方向の揃え動作がそれぞれ実行され、シート束ＳＢの幅方向及び搬送方向の整合動作が完了する。このとき、シートのサイズ情報、シート束の枚数情報、シート束厚み情報によって、後端叩き爪２２１、中綴じジョガーフェンス２２５の押し込み量を最適の値に変更し整合する。
【００３０】
また、束の厚みがあると搬送路内の空間が減少するため、一度の整合動作では整合しきれないケースが多い。そこで、このような場合には、整合回数を増加させる。これにより、より良い整合状態を実現することができる。さらに、上流側でシートを順次重ね合わせる時間はシート枚数が多ければ多いほど増加するので、次のシート束ＳＢを受け入れるまでの時間が長くなる。その結果、整合回数を増加してもシステムとして時間の損失はないことから、効率的に良好な整合状態を実現できる。したがって、上流の処理時間に応じ、整合回数を制御することも可能である。
【００３１】
なお、前記可動フェンス２１０の待機位置は、通常、シート束ＳＢの中綴じ位置が中綴じステープラＳ１の綴じ位置に対向する位置に設定される。この位置で整合すると、可動フェンス２１０をシート束ＳＢの中綴じ位置に移動させることなく、スタックされた位置でそのまま綴じ処理が可能となるからである。そこで、この待機位置でシート束ＳＢの中央部に中綴じステープラＳ１のステッチャを矢印ｂ方向に駆動し、クリンチャとの間で綴じ処理が行われ、シート束ＳＢは中綴じされる。
【００３２】
可動フェンス２１０は可動フェンスＨＰセンサ２９２からのパルス制御により位置決めされ、後端叩き爪２２１は後端叩き爪ＨＰセンサ２９４からのパルス制御により位置決めされる。可動フェンス２１０及び後端叩き爪２２１の位置決め制御は、中綴じ製本装置２の図示しない制御回路のＣＰＵによって実行される。
【００３３】
図３の状態で中綴じされたシート束ＳＢは、図４に示すように束搬送ローラ下２０６の加圧が解除された状態で可動フェンス２１０の上方移動に伴って中綴じ位置（シート束ＳＢの搬送方向の中央位置）が折りプレート２１５に対向する位置まで移送される。この位置も可動フェンスＨＰセンサ２９２の検出位置を基準に制御される。
【００３４】
図４の位置にシート束ＳＢが達すると、図５に示すように折りプレート２１５が折りローラ対２３０のニップ方向に移動し、シート束ＳＢの綴じられた針部近傍のシート束ＳＢに対して略直角方向から当接し、前記ニップ側に押し出す。シート束ＳＢは折りプレート２１５により押されて折りローラ対２３０のニップへと導かれ、予め回転していた折りローラ対２３０のニップに押し込まれる。折りローラ対２３０は、ニップに押し込まれたシート束ＳＢを加圧し、搬送する。この加圧搬送動作によりシート束ＳＢの中央に折りが施され、簡易製本されたシート束ＳＢが形成される。図５は、シート束ＳＢの折り目部ＳＢ１の先端が折りローラ対２３０のニップに挟持され、加圧されているときの状態を示す。
【００３５】
図５の状態で中央部が２つ折りされたシート束ＳＢは、図６に示すようにシート束ＳＢとして折りローラ対２３０によって搬送され、さらに下排紙ローラ２３１に挟持されて後段に排出される。このとき、シート束ＳＢ後端が折り目部通過センサ２９３に検知されると、折りプレート２１５及び可動フェンス２１０はホームポジションに、束搬送ローラ下２０６は加圧状態にそれぞれ復帰し、次のシート束ＳＢの搬入に備える。また、次のジョブが同サイズ同枚数であれば、可動フェンス２１０は再び図２の位置に移動し、待機するようにしても良い。なお、これらの制御も前記制御回路のＣＰＵによって実行される。
【００３６】
図７は増し折りローラユニットと折りローラ対の基本構成を示す要部正面図、図８は図７を左側から見た要部側面図である。増し折りローラユニット２６０は、折りローラ対２３０と下排紙ローラ２３１との間の排紙搬送路２４４に設置され、ユニット移動機構２６３、案内部材２６４及び押圧機構２６５を備えている。ユニット移動機構２６３は図示しない駆動源及び駆動機構により案内部材２６４に沿って増し折りユニット２６０を図示奥行き方向（シート搬送方向に対して直交する方向）に往復移動させる。押圧機構２６５は上下方向から圧を加え、シート束ＳＢを押圧する機構であり、増し折りローラ／上ユニット２６１、増し折りローラ／下ユニット２６２を備えている。
【００３７】
増し折りローラ／上ユニット２６１は、ユニット移動機構２６３に対して支持部材２６５ｂによって上下方向に移動可能に支持され、増し折りローラ／下ユニット２６２は押圧機構２６５の支持部材２６５ｂの下端に移動不能に取り付けられている。増し折りローラ／上ユニット２６１の増し折りローラ／上２６１ａは、第１及び第２増し折りローラ／下２６２ａ，２６２ｂに対して圧接可能となっており、３つのローラで構成するニップ間にシート束ＳＢを挟んで加圧する。加圧力は増し折りローラ／上ユニット２６１を弾性力で加圧する加圧ばね２６５ｃによって付与される。そして、加圧状態で後述のようにシート束ＳＢの幅方向（図８矢印Ｄ１方向）に移動し、折り目部ＳＢ１に対して増し折りを実行する。
【００３８】
図９は案内部材２６４の詳細を示す図である。案内部材２６４は増し折りローラユニット２６０をシート束ＳＢの幅方向に案内する案内経路２７０を備え、当該案内経路２７０には、
１）  往移動時に押圧機構２６５を押圧解除状態で案内する第１の案内経路２７１
２）  往移動時に押圧機構２６５を押圧状態で案内する第２の案内経路２７２
３）  往移動時に押圧機構２６５を押圧解除から押圧状態に切り替える第３の案内経路２７３
４）  復移動時に押圧機構２６５を押圧解除状態で案内する第４の案内経路２７４
５）  復移動時に押圧機構２６５を押圧状態で案内する第５の案内経路２７５
６）  復移動時に押圧機構２６５を押圧解除から押圧状態に切り替える第６の案内経路２７６
の６つの経路が設定されている。
【００３９】
図１０及び図１１は図９の要部を拡大して示す図である。図１０及び図１１に示すように第３の案内経路２７３と第２の案内経路２７２の交点、及び第６の案内経路２７６と第５の案内経路２７５の交点にはそれぞれ第１の経路切り替え爪２７７及び第２の経路切り替え爪２７８が設置されている。第１の経路切り替え爪２７７は図１１に示すように第３の案内経路２７３から第２の案内経路２７２へ切り替え可能、第２の経路切り替え爪２７８は第６の案内経路２７６から第５の案内経路２７５へは切り替え可能である。しかし、前者では第２の案内経路２７２から第３の案内経路２７３への切り替え、後者では第５の案内経路２７５から第６の案内経路２７６への切り替えは不能となっている。すなわち、逆方向には切り替えられないように構成されている。なお、図１１における矢印はガイドピン２６５ａの移動軌跡を示している。
【００４０】
また、押圧機構２６５が案内経路２７０に沿って移動するのは、押圧機構２６５のガイドピン２６５ａが案内経路２７０内にゆるみばめ状態で移動可能に嵌合しているからである。すなわち、案内経路２７０がカム溝として機能し、ガイドピン２６５ａがこのカム溝に沿って移動する間に位置を変えるカムフォロワとして機能する。
【００４１】
図１２ないし図２２は、本実施形態における増し折りローラユニットによる増し折り動作の動作説明図である。
【００４２】
図１２は折りローラ対２３０にて折られたシート束ＳＢが予め設定された増し折り位置まで搬送されて停止し、増し折りローラユニット２６０が待機位置にいる状態を表している。この状態が増し折り動作の初期位置である。
【００４３】
初期位置（図１２）から増し折りローラユニット２６０が図示右方向（矢印Ｄ２方向）に往移動を開始する（図１３）。その際、増し折りローラユニット２６０内の押圧機構２６５は、ガイドピン２６５ａの作用により案内部材２６４の案内経路２７０に沿って移動する。動作開始直後は第１の案内経路２７１に沿って移動する。その際、増し折りローラ２６１ａに対して第１及び第２増し折りローラ／下２６２ａ，２６２ｂは押圧解除状態にある。ここで、押圧解除状態とは増し折りローラ／上２６１ａと第１及び第２増し折りローラ／下２６２ａ，２６２ｂとシート束ＳＢは接触しているがほとんど圧力がかかっていない状態、又は増し折りローラ／上２６１ａと第１及び第２増し折りローラ／下２６２ａ，２６２ｂとシート束ＳＢとが離れている状態を表している。
【００４４】
シート束ＳＢの中央付近で第３の案内経路２７３にかかると（図１４）、押圧機構２６５は第３の案内経路２７３に沿って下降を開始し、第１の経路切り替え爪２７７を押しのけて第２の案内経路２７２に入る（図１５）。このとき、押圧機構２６５は増し折りローラ／上ユニット２６１を押圧している状態となり、増し折りローラ／上ユニット２６１はシート束ＳＢに当接し、押圧状態となる。
【００４５】
押圧したままの状態で増し折りローラユニット２６０はさらに矢印Ｄ２方向に移動する（図１６）。その際、第２の経路切り替え爪２７８は逆方向へは移動できないので、第６の案内経路２７６に案内されることなく、第２の案内経路２７２に沿って移動し、シート束ＳＢを抜け、往移動の最終位置に位置する（図１７）。ここまで移動すると、押圧機構２６５のガイドピン２６５ａは第２の案内経路２７２から上部の第４の案内経路２７４に移行する。その結果、第２の案内経路２７２の上面によるガイドピン２６５ａの位置規制が解除されるので、増し折りローラ／上２６１ａは第１及び第２増し折りローラ／下２６２ａ，２６２ｂから離れ、押圧解除状態となる。
【００４６】
次いで、ユニット移動機構２６３によって増し折りローラユニット２６０は復移動を開始する（図１８）。復移動では、押圧機構２６５は第４の案内経路２７４に沿って図示左方向（矢印Ｄ３方向）に移動する。この移動により押圧機構２６５が第６の案内経路２７６に至ると（図１９）、ガイドピン２６５ａが第６の案内経路２７６の形状に沿って下方向に押され、押圧機構２６５は押圧解除状態から押圧状態に移行する（図２０）。
【００４７】
そして、第５の案内経路２７５に入ると、完全な押圧状態になり、第５の案内経路２７５を矢印Ｄ３方向にそのまま移動して（図２１）、シート束ＳＢを抜ける（図２２）。
【００４８】
このようにして増し折りローラユニット２６０を往復移動させてシート束ＳＢに増し折りを施す。その際、シート束ＳＢの中央部から一方への増し折りを開始し、シート束ＳＢの一方の端部ＳＢ２を抜ける。その後、増し折りしたシート束ＳＢの上を通り、シート束の中央部から他方への折り増しを開始し、他方の端部ＳＢ２を抜けるという動作によって増し折りを行う。
【００４９】
このように動作させると、折り増しを開始するとき、あるいは一方を抜けた後、他方に戻るとき、シート束ＳＢの端部ＳＢ２にシート束ＳＢの外側から増し折りローラ／上２６１ａと第１及び第２増し折りローラ／下２６２ａ，２６２ｂが接触することも、加圧することもない。すなわち、シート束ＳＢの端部ＳＢ２を端部の外側から通過するときには増し折りローラユニット２６０は押圧解除状態にある。そのため、シート束ＳＢの端部ＳＢ２へのダメージは発生しない。また、シート束ＳＢの中央部付近から端部ＳＢにかけて増し折りするので、増し折り時のシート束ＳＢを接触して走行する距離が短くなり、しわ等の原因になる縒れも蓄積され難い。そのため、シート束ＳＢの折り目部（背）ＳＢ１を増し折りする際にシート束ＳＢの端部ＳＢ２にダメージが生じることがなく、縒れの蓄積による折り目部ＳＢ１及びその近傍の捲れやしわの発生も抑制することができる。
【００５０】
シート束ＳＢの端部ＳＢ２の外側から増し折りローラ／上２６１ａと第１及び第２増し折りローラ／下２６２ａ，２６２ｂが当該端部ＳＢ２上に乗り上げないようにするには、図１２ないし図２２から分かるように動作させる。すなわち、増し折りローラユニット２６０が往移動時に押圧を解除した状態でシート束上を移動する距離をＬａ、復移動時に押圧を解除した状態でシート束を移動する距離をＬｂとしたとき、シート束の幅方向の長さＬと、前記距離Ｌａ，Ｌｂとの関係が、
Ｌ＞Ｌａ＋Ｌｂ
であることが必須である（図１２〜図１４、図１７〜図１９）。
【００５１】
また、前記距離Ｌａ及びＬｂを略同一に設定し、シート束ＳＢの幅方向の中央部付近で押圧を開始するようにすることが望ましい（図１６、図２０）。
【００５２】
さらに、本実施形態における増し折りローラユニット２６０では、増し折りローラ／上ユニット２６１は上下に可動に構成し、増し折りローラ／下ユニット２６２は上下方向には不動の構成であったが、増し折りローラ／下ユニット２６２も上下方向に可動に構成することもできる。このように構成すると、増し折りローラ／上２６１ａと第１及び第２増し折りローラ／下２６２ａ，２６２ｂが増し折り位置に対して対称に接離動作するので、増し折り位置がシート束ＳＢの厚みに関係なく一定となり、さらに傷等のダメージを抑制することができる。
【００５３】
図２３は増し折りローラユニット２６０の詳細な構成を示す斜視図、図２４は図２３の増し折りローラユニット２６０を矢印Ｄ４方向から見た図である。
【００５４】
増し折りローラ／上２６１ａは増し折りローラ／上ユニット２６１側の上ローラホルダ２６１ｂに回転自在に支持され、第１及び第２増し折りローラ／下２６２ａ，２６２ｂは増し折りローラ／下ユニット２６２側の下ローラホルダ２６２ｃに回転自在に支持される。ユニット移動機構２６３はスライダ部材２６３ａを備え、スライダ部材２６３ａは図示しないタイミングベルトにタイミングベルト噛合部２６３ｂで噛み合っている。これにより、図示しないモータによってタイミングベルトが駆動されると、タイミングベルトの移動に同期してシート束ＳＢの幅方向に移動する。
【００５５】
前述のように増し折りローラ／上ユニット２６１は、ユニット移動機構２６３に対して支持部材２６５ｂによって上下方向（シート厚み方向ｔ：図２６参照）に移動可能に支持され、増し折りローラ／下ユニット２６２は押圧機構２６５の支持部材２６５ｂの下端に移動不能に取り付けられている。すなわち、第１及び第２増し折りローラ／下２６２ａ，２６２ｂはシート厚み方向ｔに対して移動不能に下ローラホルダ２６２ｃに取り付けられ、上側ローラホルダ２６１ｂはシート厚み方向ｔに移動可能に上側ローラホルダ２６１ｂに取り付けられている。
【００５６】
また、本実施形態では、図２５に示すように図７に示した基本となる増し折りローラユニット２６０の構成に対して増し折りローラ／上２６１ａに対して第１及び第２増し折りローラ／下２６２ａ，２６２ｂの軸芯（回転軸）をシート幅方向にずらして配置している。シート幅方向のずれは、シート厚み方向ｔに対して垂直な方向（増し折りローラユニット２６０の移動方向に平行な方向）ｈに増し折りローラ／上２６１ａの回転中心から第１及び第２増し折りローラ／下２６２ａ，２６２ｂの回転中心を結ぶ線に対して下ろした垂線（シート厚み方向の線ｔ１）のずれである。このずれ量は図２７においてδとして示されている。
【００５７】
なお、このずれδは増し折りローラユニット２６０の移動方向における増し折りローラ／上２６１ａと第１及び第２増し折りローラ／下２６２ａ，２６２ｂの回転軸のずれである。
【００５８】
図２６は増し折りローラ／上２６１ａと第１及び第２増し折りローラ／下２６２ａ，２６２ｂによってシート束ＳＢの折り目部ＳＢ１を押圧するときの押圧状態を示す模式図である。本実施形態では、増し折りローラ／上２６１ａと第１増し折りローラ／下２６２ａのニップＮの接線Ｇの方向は、シート束ＳＢの厚み方向ｔと直交する方向と平行でないように構成する。より具体的には、シート束ＳＢの厚み方向ｔからなす角をθとしたとき、
０°＜θ＜９０°
であるように構成する。
【００５９】
なお、前記角θは、好適には、
６０°＜θ＜９０°
である。
【００６０】
増し折りローラ／上２６１ａと第１増し折りローラ／下２６２ａとの間に生じる押圧力Ｆは、前述の接線Ｇの方向に直交する方向となるため、シート束ＳＢの厚み方向ｔに対して傾いた方向となる。このため、図２７の押圧部分の拡大図に示すようにシート束ＳＢの背（折り目部ＳＢ１）をシート束ＳＢの厚み方向ｔに変位させる力を生じる。これによりシート束ＳＢの厚み方向に押圧力を発生させた場合（θ＝９０ｄｅｇ）に比較して、ある押圧力についての折り高さ（増し折り効果）の低減が可能となる。この力は、増し折りローラ／上２６１ａと第２増し折りローラ／下２６２ｂとの間にも同様に作用する。力の方向は、図２７に示すように増し折りローラ／上２６１ａの回転中心２６１ａ１からシート束ＳＢの厚み方向ｔに下ろした線ｔ１に対して対称な方向となる。これは、第１及び第２増し折りローラ／下２６２ａ，２６２ｂが当該線ｔ１に対して対称に配置されているからである。
【００６１】
すなわち、本実施形態では、増し折りローラ／上２６１ａと第１及び第２増し折りローラ／下２６２ａと２６２ｂの中心２６１ａ１，２６２ａと２６２ｂ１を結ぶ第１及び第２の線Ｌ１，Ｌ２に沿って押圧力Ｆが作用する。その際、押圧力Ｆの方向がシート束ＳＢの厚み方向ｔとずれているので、折り目部ＳＢ１には押圧力Ｆのみならず折り目部ＳＢ１を屈曲させる力、言い換えれば曲げ方向の力も加わる。この曲げ方向の力によりシートの繊維が伸ばされ、あるいは繊維が切断され、その状態で押圧するので、折り目部ＳＢ１の厚さをシート束ＳＢの厚み方向ｔのみ（θ＝９０ｄｅｇ）押圧した場合に比べて小さくすることができる。なお、第１及び第２増し折りローラ／下２６２ａと２６２ｂの中心２６１ａ１，２６２ａを結ぶ線ｈは、シート束ＳＢの厚み方向の線ｔ１に対して垂直であり、シート幅方向と平行である。
【００６２】
また、前記角θは、シート束ＳＢの厚さによって変化する。すなわちシート幅方向のずれ量δは一定で、シート束ＳＢの厚さが薄い場合には、前記中心２６１ａ１，２６２ａと２６２ｂ１間の距離が小さく、厚い場合には距離が大きくなるので、前者の方が角θは小さくなる。これにより増し折りローラ／上２６１ａと第１及び第２増し折りローラ／下２６２ａ，２６２ｂのニップＮ１，Ｎ２に生じる押圧力Ｆ１，Ｆ２も変化する。
【００６３】
なお、前記のように設定された角度θは、前記ニップＮ位置における接線Ｇの方向が増し折りローラユニット２６０の搬送方向（矢印Ｄ５方向）に対してずれているとも言い換えることができる。ずれているとは、増し折りローラユニット２６０の搬送方向（矢印Ｄ５方向に対して傾斜している、あるいは平行ではないということを意味する。
【００６４】
ここで、前述の通り、押圧力Ｆ１，Ｆ２，の方向をシート束ＳＢの厚み方向ｔとずらすことにより折り目部ＳＢ１には押圧力Ｆ１，Ｆ２のみならず折り目部ＳＢ１を屈曲させる力、言い換えれば曲げ方向の力が加わる。これにより、折り目部ＳＢ１の厚さをシート束ＳＢの厚み方向ｔのみ（θ＝９０ｄｅｇ）押圧した場合に比べて小さくすることができる。この効果を発揮するためには、例えば図３０のように２つの増し折りローラの軸心を結ぶ線Ｌをシート束ＳＢの厚み方向ｔ（に引いた線ｔ１）に対して傾けて構成することで可能となる。ただし、図２７で示している通り、増し折りローラ上／２６１ａと、これに対向する第１及び第２増し折りローラ／下２６２ａ，２６２ｂとの３つのローラで構成すると、シート束ＳＢを屈曲させる位置を倍にすることができる。その結果、厚さ低減効果がさらに優れることは明白である。
【００６５】
また、増し折りローラユニット２６０の移動方向（シート束幅方向：矢印Ｄ１方向）において、軸心ずれ量シート束ＳＢを左右均一に屈曲させることができる。本実施形態では、往移動で片側を、復移動で残りの片側を増し折りする構成になっているが、左右均一に屈曲させることで、往移動と復移動での移動のための駆動源出力を同一とすることができ、制御構成も簡便になる。
【００６６】
本実施形態では、増し折りローラ／上２６１ａと第１及び第２増し折りローラ／下２６２ａ，２６２ｂは、それぞれ回転可能に構成され、シート束ＳＢの両面上を転動しながら加圧して増し折りを行うように構成されている。これに対し、ローラに代えて固定部材によって加圧することも可能である。ただし、この場合、冊子厚み方向に対して傾いた方向に押圧力Ｆを発生させるためには、図２７に示したように外形が曲面である必要がある。なお、固定部材によって冊子厚み方向に対して傾いた方向に押圧力Ｆを発生させる場合には、シート幅方向に移動させる際の負荷が大きくなる。そのため負荷低減を考慮すれば、本実施形態のようにローラのような転動部材を使用することが望ましい。
【００６７】
また、増し折りローラ／上２６１ａと第１及び第２増し折りローラ／下２６２ａ，２６２ｂについては、増し折りローラ／上２６１ａの直径ｄ１に対して第１及び第２増し折りローラ／下２６２ａ，２６２ｂの直径ｄ２，ｄ３を小さくすると良い。このように直径ｄ２，ｄ３を直径Ｄ１より小さくすると、増し折りユニット２６０の小型化を図ることができる。なお、本実施形態では、ローラを使用しているので直径ｄ１，ｄ２，ｄ３の関係を前記のようにしているが、曲面を持った固定部材を使用する場合には、シート束ＳＢの幅方向の寸法関係を前記直径の寸法関係と同様にすれば良い。
【００６８】
さらに、第１及び第２増し折りローラ／下２６２ａ，２６２ｂの増し折りローラ／上２６１ａからのずれ量δを変更可能に構成することもできる。このように変更可能とすると、ずれ量δと加圧力によるシート束ＳＢの変形で折りの強さをコントロールすることが可能となる。例えば枚数が多い場合は強く、枚数が少ない場合は弱くすることができる。あるいは、ステープル針の部分ではステープル針の変形の防止や折りローラの損傷を防ぐために、折りの強さを弱めることができる。図２８（ａ）はシート束ＳＢを強く屈曲させるときの第１及び第２増し折りローラ／下２６２ａ，２６２ｂの位置を示す。図２８（ｂ）はシート束ＳＢを弱く屈曲させるときの第１及び第２増し折りローラ／下２６２ａ，２６２ｂの位置を示す。このようにずれ量δを変更できるようにすると、付勢手段２６５ｃを同一のまま、簡単な構成で、シート束への加圧力、すなわちシートの屈曲をコントロールすることができる。
【００６９】
なお、前記実施形態では、シート束の上方を増し折りローラ／上２６１ａ、シート束の下方を第１及び第２増し折りローラ／下２６２ａ，２６２ｂで構成したが、シート束の上方を２つのローラ２６１ｕａ，２６１ｕｂで、下方を１つのローラ２６２ｕで構成しても同様の効果を得ることができる（図２９）。なお、図２９に示した増し折りローラユニット２６０は、図２５に示した増し折りローラユニット２６０の上下を逆転させて構成したもので、ユニット移動機構２６３ｕ、押圧機構２６５ｕ、加圧ばね２６５ｕｃ等の配置も逆になっている。ただし、これらの機構も逆転させる必要はなく、図２９の例は単なる一例に過ぎない。
【００７０】
前記実施形態の展開として次のように構成することも可能である。  
前記実施形態では、第１及び第２増し折りローラ／下２６２ａ，２６２ｂの増し折りローラ／上２６１ａからのずれ量δを変更可能に構成している。そこで、図３１に示すように、第２増し折りローラ／下２６２ｂと増し折りローラ／上２６１ａのずれ量δ＝０とすれば、折り部の変形を抑制することができる。枚数が少ない場合、あるいは、ステープル針の部分ではステープル針の変形の防止や折りローラの損傷を防ぐために、折りの強さを弱めることができる。
【００７１】
また、増し折り強さの選択モードを増やしてユーザーの利便性を向上させることもできる。すなわち、図３０の２つのローラで構成した場合と同様の効果を３つのローラで得ることも可能である。具体的には、第１及び第２増し折りローラ／下２６２ａ，２６２ｂのいずれかをシート厚み方向ｔに逃がすよう構成する。あるいは第１及び第２増し折りローラ／下２６２ａ，２６２ｂのいずれよりも外側に増し折りローラ上上２６１ａを配置するように構成する（図３２）。これによりシート束ＳＢに対して２つのローラ、図３２では、増し折りローラ／上２６１ａと第２増し折りローラ／下２６２ｂとの間で、図３０の場合と同様にシート束の厚み方向ｔに対して両者のニップの接線方向を傾けてシート束ＳＢを加圧し、増し折りすることができる。
【００７２】
このように、簡単な構成で、シート束への加圧力、すなわちシートの屈曲をコントロールすることができる。
【００７３】
以上のように、本実施形態によれば、次のような効果を奏する。
【００７４】
（１）折られたシート束ＳＢの折り目部ＳＢ１を挟み込んで押圧する押圧手段と、前記押圧手段の押圧位置をシート束ＳＢの折り目方向（矢印Ｄ１方向）に移動させる増し折りローラユニット２６０（移動手段）と、を有するシート処理装置において、前記押圧手段は、シート束ＳＢの厚み方向の一方に配置された増し折りローラ／上２６１ａ（第１の押圧部材）と、前記シート束ＳＢの折り目部ＳＢ１を挟んで他方に配置された第１及び第２増し折りローラ／下２６２ａ，２６２ｂ（第２及び第３の押圧部材）と、を含み、前記増し折りローラユニット２６０（移動手段）は、前記増し折りローラ／上２６１ａ（第１の押圧部材）の中心２６１ａ１と前記第１増し折りローラ／下２６２ａ（第２の押圧部材）の中心２６２ａ１を結ぶ第１の線Ｌ１及び前記増し折りローラ／上２６１ａ（第１の押圧部材）の中心２６２ａ１と前記第２増し折りローラ／下２６２ｂ（第３の押圧部材）の中心２６２ｂ１を結ぶ第２の線Ｌ２をそれぞれシート束ＳＢの厚み方向ｔに対して平行でない状態にして増し折りローラ／上２６１ａ、第１及び第２増し折りローラ／下２６２ａ，２６２ｂ（前記第１、第２及び第３の押圧部材）をシート束ＳＢの幅方向（矢印Ｄ１方向）に移動させるので、小さな加圧力で増し折りを可能とし、装置の小型化と低コスト化を図ることができる。
【００７５】
これは、シート束ＳＢの上面を圧接する増し折りローラ／上２６１ａと、シート束ＳＢの下面を圧接する第１及び第２増し折りローラ／下２６２ａ，２６２ｂは、上下のローラのそれぞれの中心を結ぶ第１及び第２の線Ｌ１，Ｌ２がシート束ＳＢの厚み方向ｔに対して平行でない状態、言い換えれば第１及び第２増し折りローラ／下２６２ａ，２６２ｂが増し折りローラ／上２６１ａに対してシート幅方向に中心２６２ａ１，２６２ｂ１、２６１ａ１がずれるよう配置されるからである。このような配置することにより、３つの増し折りローラ２６１ａ，２６２ａ，２６２ｂでシート束ＳＢを挟み込んだとき、これら３つの増し折りローラ２６１ａ，２６２ａ、２６２ｂによりシート束ＳＢの折り目ＳＢ１部に山形の変形を生じさせながら増し折りを施すことが可能となる。その結果、単純にシート束ＳＢを圧縮する場合に比べて、小さい力で増し折りの効果を得ることができる。
【００７６】
（２）前記増し折りローラ／上２６１ａ（第１の押圧部材）が、シート束ＳＢの幅方向（矢印Ｄ１方向）において前記第１及び第２増し折りローラ／下２６２ａ，２６２ｂ（第２及び第３の押圧部材）間に位置する（図２７、図２８参照）ので、シート束ＳＢを山形（Ｖ字）に変形させ、折り目部ＳＢ１に曲げ方向の力も付与することができる。この曲げ方向の力により折り目部ＳＢ１の厚さをシート束ＳＢの厚み方向ｔのみ押圧した場合に比べて小さくすることができる。
【００７７】
（３）前記増し折りローラ／上２６１（第１の押圧部材）の中心２６１ａ１から前記シート束ＳＢの厚み方向ｔに引いた線ｔ１からの前記第１増し折りローラ／下２６２ａ（第２押圧部材）の中心２６２ａ１位置のずれ量δと、前記線ｔ１からの前記第２増し折りローラ／下２６２ｂ（第３押圧部材）の中心２６２ｂ１位置のずれ量δとが同一であるので（図２７）、往移動で片側を、復移動で残りの片側を増し折りする際に左右均一に屈曲させて増し折りを行うことができる。これにより、往移動と復移動での移動のための駆動源出力を同一とすることができ、制御構成も簡便になる。
【００７８】
（４）前記第１及び第２増し折りローラ／下２６２ａ，２６２ｂ（第２の押圧部材及び前記第３の押圧部材）の直径ｄ２，ｄ３（シート幅方向の寸法）が前記増し折りローラ／上２６１ａ（第１の押圧部材）の直径ｄ１（シート幅方向の寸法）よりもそれぞれ小さいので、増し折りユニット２６０の小型化を図ることができる。
【００７９】
（５）前記第１増し折りローラ／下２６２ａ又は第２増し折りローラ／下２６２ｂ（第２の押圧部材又は前記第３の押圧部材）が、前記増し折りローラ／上２６１ａ（第１の押圧部材）に対してシート幅方向（矢印Ｄ１方向）にそれぞれ移動可能であるので、第１及び第２増し折りローラ／下２６２ａ，２６２ｂの増し折りローラ／上２６１ａからのずれ量δを変更可能とすることができる。これによりずれ量δと加圧力によるシート束ＳＢの変形で折りの強さをコントロールすることが可能となる。
【００８０】
（６）前記第１増し折りローラ／下２６２ａ又は第２増し折りローラ／下２６２ｂ（第２の押圧部材又は前記第３の押圧部材）が、前記増し折りローラ／上２６１ａ（第１の押圧部材）に対してシート幅方向の同一位置（増し折りローラ／上２６１の中心２６１ａ１からシート束ＳＢの厚み方向ｔに引いた線ｔ１を通る位置）にそれぞれ移動可能であるので、本来０以外の所定のずれ量δをもって圧接していたものを、ずれ量０で圧接することもできる（図３１参照）。これにより、折り強さの弱いモードで増し折りすることが可能となり、折り強度の選択肢を増やすことができる。
【００８１】
（７）前記増し折りローラ／上２６１ａ（第１の押圧部材）が、前記第１増し折りローラ／下２６２ａ又は第２増し折りローラ／下２６２ｂ（第２の押圧部材又は前記第３の押圧部材）のシート幅方向外側に位置するので（図３２参照）、上下２つの増し折りローラ２６１ａ，２６２ｂ（あるいは２６２ａ）の２つのローラで増し折りすることが可能となる。これにより、折り強度の選択肢を増やすことができる。
【００８２】
（８）前記増し折りローラ／上２６１ａ（第１の押圧部材）と前記第１及び第２増し折りローラ／下２６２ａ，２６２ｂ（第２及び第３の押圧部材）を押圧状態及び押圧解除状態にする第１ないし第６の案内経路２７１〜２７６を含む案内経路２７０を備えたので、増し折り動作を行わないときには押圧解除状態にしてローラの変形を防ぐことができる。
【００８３】
（９）画像形成装置ＰＲと前記（１）ないし（８）に記載したシート後処理装置（シート処理装置１，２）を備えた画像形成システムとしたので、前記（１）ないし（８）の効果を奏する画像形成システムを提供することができる。
【００８４】
（１０）増し折りローラ／上２６１ａ（第１の押圧部材）をシート束ＳＢの厚み方向ｔの一方に配置し、第１及び第２増し折りローラ／下２６２ａ，２６２ｂ（第２及び第３の押圧部材）をシート束ＳＢの厚み方向ｔの他方に配置し、前記増し折りローラ／上２６１ａ（第１の押圧部材）と、前記第１及び第２増し折りローラ／下２６２ａ，２６２ｂ（第２及び第３の押圧部材）との間に前記シート束ＳＢの折り目部ＳＢ１を挟み、前記増し折りローラユニット２６０（移動手段）は、前記増し折りローラ／上２６１ａ（第１の押圧部材）の中心２６１ａ１と前記第１増し折りローラ／下２６２ａ（第２の押圧部材）の中心２６２ａ１を結ぶ第１の線Ｌ１及び前記増し折りローラ／上２６１ａ（第１の押圧部材）の中心２６２ａ１と前記第２増し折りローラ／下２６２ｂ（第３の押圧部材）の中心２６２ｂ１を結ぶ第２の線Ｌ２をそれぞれシート束ＳＢの厚み方向ｔに対して平行でない状態にして増し折りローラ／上２６１ａ、第１及び第２増し折りローラ／下２６２ａ，２６２ｂ（前記第１、第２及び第３の押圧部材）をシート束の幅方向に移動させてシート束ＳＢの折り目部ＳＢ１を増し折りするので、小さな加圧力で増し折りを可能とし、装置の小型化と低コスト化を図ることができる。
【００８５】
なお、前記実施形態における効果の説明では、本実施形態の各部について、特許請求の範囲における各構成要素をかっこ書きで示し、若しくは参照符号を付し、両者の対応関係を明確にした。
【００８６】
さらに、本発明は前述した実施形態に限定されず、本発明の要旨を逸脱しない範囲で種々の変形が可能であり、特許請求の範囲に記載された技術思想に含まれる技術的事項の全てが本発明の対象となる。前記実施形態は、好適な例を示したものであるが、当業者ならば、本明細書に開示の内容から、各種の代替例、修正例、変形例あるいは改良例を実現することができ、これらは添付の特許請求の範囲に記載された技術的範囲に含まれる。
【符号の説明】
【００８７】
２６０  増し折りローラユニット
２６１ａ  増し折りローラ／上
２６１ａ１  （増し折りローラ／上の）中心
２６２ａ  第１増し折りローラ／下
２６２ａ１  （第１増し折りローラ／下の）中心
２６２ｂ  第２増し折りローラ／下
２６２ｂ１  （第２増し折りローラ／下の）中心
ｄ１，ｄ２，ｄ３  増し折りローラの直径
ｔ  シート束の厚み方向
ｔ１  増し折りローラ／上の中心からシート束の厚み方向に引いた線
Ｌ１  第１の線
Ｌ２  第２の線
ＳＢ  シート束
ＳＢ１  折り目部
【先行技術文献】
【特許文献】
【００８８】
【特許文献１】特開２００９−１２６６８５号公報
【特許文献２】特開２００６−３２１６２２号公報
【図１】
2015036321.tif 000003
【図２】
2015036321.tif 000004
【図３】
2015036321.tif 000005
【図４】
2015036321.tif 000006
【図５】
2015036321.tif 000007
【図６】
2015036321.tif 000008
【図１２】
2015036321.tif 000009
【図１３】
2015036321.tif 000010
【図１４】
2015036321.tif 000011
【図１５】
2015036321.tif 000012
【図１６】
2015036321.tif 000013
【図１７】
2015036321.tif 000014
【図１８】
2015036321.tif 000015
【図１９】
2015036321.tif 000016
【図２０】
2015036321.tif 000017
【図２１】
2015036321.tif 000018
【図２２】
2015036321.tif 000019
【図２３】
2015036321.tif 000020
【図２４】
2015036321.tif 000021
【図２５】
2015036321.tif 000022
【図７】
2015036321.tif 000023
【図８】
2015036321.tif 000024
【図９】
2015036321.tif 000025
【図１０】
2015036321.tif 000026
【図１１】
2015036321.tif 000027
【図２６】
2015036321.tif 000028
【図２７】
2015036321.tif 000029
【図２８】
2015036321.tif 000030
【図２９】
2015036321.tif 000031
【図３０】
2015036321.tif 000032
【図３１】
2015036321.tif 000033
【図３２】
2015036321.tif 000034
【手続補正書】
【提出日】平成25年8月30日(2013.8.30)
【手続補正１】
【補正対象書類名】図面
【補正対象項目名】図１２
【補正方法】変更
【補正の内容】
【図１２】
2015036321.tif 000035
【手続補正２】
【補正対象書類名】図面
【補正対象項目名】図１３
【補正方法】変更
【補正の内容】
【図１３】
2015036321.tif 000036
【手続補正３】
【補正対象書類名】図面
【補正対象項目名】図１４
【補正方法】変更
【補正の内容】
【図１４】
2015036321.tif 000037
【手続補正４】
【補正対象書類名】図面
【補正対象項目名】図１５
【補正方法】変更
【補正の内容】
【図１５】
2015036321.tif 000038
【手続補正５】
【補正対象書類名】図面
【補正対象項目名】図１６
【補正方法】変更
【補正の内容】
【図１６】
2015036321.tif 000039
【手続補正６】
【補正対象書類名】図面
【補正対象項目名】図１７
【補正方法】変更
【補正の内容】
【図１７】
2015036321.tif 000040
【手続補正７】
【補正対象書類名】図面
【補正対象項目名】図１８
【補正方法】変更
【補正の内容】
【図１８】
2015036321.tif 000041
【手続補正８】
【補正対象書類名】図面
【補正対象項目名】図１９
【補正方法】変更
【補正の内容】
【図１９】
2015036321.tif 000042
【手続補正９】
【補正対象書類名】図面
【補正対象項目名】図２０
【補正方法】変更
【補正の内容】
【図２０】
2015036321.tif 000043
【手続補正１０】
【補正対象書類名】図面
【補正対象項目名】図２１
【補正方法】変更
【補正の内容】
【図２１】
2015036321.tif 000044
【手続補正１１】
【補正対象書類名】図面
【補正対象項目名】図２２
【補正方法】変更
【補正の内容】
【図２２】
2015036321.tif 000045
【手続補正１２】
【補正対象書類名】図面
【補正対象項目名】図２３
【補正方法】変更
【補正の内容】
【図２３】
2015036321.tif 000046
【手続補正１３】
【補正対象書類名】図面
【補正対象項目名】図２４
【補正方法】変更
【補正の内容】
【図２４】
2015036321.tif 000047
【手続補正１４】
【補正対象書類名】図面
【補正対象項目名】図２５
【補正方法】変更
【補正の内容】
【図２５】
2015036321.tif 000048